(57)【要約】      （修正有）【課題】埋込みバルブを位置特定するためのツールキットの一部としてのロケータを提供する。【解決手段】ロケータ２００は、中に入れ子にされた指示器３００と併せて使用される。ロケータは、患者と接触する接触面、入れ子指示器を位置決めして回転を防ぐキー、及び接触面の反対側の下側リング接合部、を備えた下側リングを有する。また、下側リング接合部と回転可能に接続する上側リング接合部、流れ方向識別子、及び流れ設定識別子、を備えた、上側リングも備えている。更に、上側及び下側リングは互いに対して回転し、下側リングには底面がない。【選択図】図３
2018000962.tif 000002
【特許請求の範囲】
【請求項１】
中に入れ子にされた指示器と併せて使用される、埋込みバルブを位置特定するためのツールキットの一部としてのロケータであって、
下側リングであって、
患者と接触する接触面、
前記入れ子指示器を位置決めして回転を防ぐキー、及び
前記接触面の反対側の下側リング接合部、を備えた、下側リングと、
上側リングであって、
前記下側リング接合部と回転可能に接続する上側リング接合部、
流れ方向識別子、及び
流れ設定識別子、を備えた、上側リングと、を備え、
前記上側及び下側リングが互いに対して回転し、
前記下側リングには底面がない、ロケータ。
【請求項２】
前記下側リングが、更に、前記接触面と前記下側リング接合部との間の高さを拡張し圧縮する伸縮自在部分を備え、前記伸縮自在部分が、垂直方向にのみ動く、請求項１に記載のロケータ。
【請求項３】
埋込みバルブを位置特定するためのツールキットを使用する方法であって、前記ツールキットが、互いに回転可能に係合された上側リングと下側リングを備えたロケータと、前記ロケータ内に入れ子になった指示器及び調整器とを備え、
概略的に前記埋込みバルブの上に前記ロケータを配置するステップと、
前記指示器を前記ロケータ内に入れ子にするステップと、
前記ロケータと前記指示器を前記埋込みバルブ上の中心に位置決めするステップと、
前記埋込みバルブの流れ方向とバルブ設定を決定するステップと、
前記下側リングの位置を維持しながら、前記ロケータの外側リングを回転させて、前記決定された流れ方向と前記バルブ設定を一致させるステップと、を含む、方法。
【請求項４】
前記入れ子にするステップの前に、前記埋込みバルブから遠くで前記指示器をゼロ調整するステップを更に含む、請求項３に記載の方法。
【請求項５】
前記入れ子にするステップの後で、前記ロケータを伸縮させるステップと、
前記埋込みバルブから遠くで前記指示器をゼロ調整するステップと、
前記ゼロ調整するステップの後でかつ前記中心に位置決めするステップの前に、前記ロケータを圧縮するステップと、を更に含む、請求項３に記載の方法。
【請求項６】
前記ロケータから前記指示器を取り外すステップと、
前記ロケータ内の前記調整器を、前記決定されたバルブ設定に向けて配置するステップと、
前記調整器を回転させることによって前記バルブ設定を新しいバルブ設定に調整するステップと、を更に含む、請求項３に記載の方法。
【発明の詳細な説明】
【技術分野】
【０００１】
（関連出願の相互参照）
本特許出願は、２０１６年６月３０日に出願された米国特許仮出願第６２／３５６，７７５号の優先権を主張する。本仮出願は、参照により本明細書に組み込まれる。
【０００２】
（発明の分野）
本発明は、概して、外科的に埋め込み可能な液体排出システムに関する。更に詳細には、本発明は、脳脊髄液排出に使用される調整可能なバルブを位置特定し調整するための体外ツールに関する。
【背景技術】
【０００３】
水頭症は、脳の脳室、すなわち空洞内での脳脊髄液（ＣＳＦ）の異常な蓄積によって引き起こされる神経学的症状である。水頭症は、乳児、子供及び大人に影響を及ぼし得、脳内でのＣＳＦの通常の排出がなんらかの形で阻害されるときに起こる。そのような阻害は、例えば、遺伝的素因、脳室内出血又は頭蓋内出血、髄膜炎等の感染、あるいは頭部の外傷を含む多数の要因によって起こり得る。ＣＳＦの流れの阻害は、結果的に、ＣＳＦが脳室システムによって生成される割合と、ＣＳＦが血流に吸収される割合との不均衡を生じさせる。この不均衡は、脳への圧力を増加させ、脳室を拡張させる。治療せずにいると、水頭症は、硬膜下血腫、脳細胞の圧縮、及び血流障害を含む、深刻な医学的状況を結果としてもたらし得る。
【０００４】
水頭症は、脳室から、右心房、腹膜、又はＣＳＦが循環系の一部として吸収され得る体の他の場所等の体の別の区域へと、ＣＳＦの流れを分流するために、シャントシステムを外科的に挿入することによって、治療することが最も頻繁である。種々のシャントシステムが、水頭症の治療のために開発されてきた。典型的には、シャントシステムは、脳室カテーテル、シャントバルブ及び排出カテーテルを備える。シャントシステムの一端において、脳室カテーテルは、第１の端部が患者の脳室内にあるように患者の頭蓋の穴を通じて挿入される第１の端部、及び典型的にはシャントバルブの入口部分に結合されている脳室カテーテル第２の端部を有することができる。脳室カテーテルの第１の端部は、ＣＳＦがシャントシステムに入ることを可能にするための複数の穴又は孔を含むことができる。シャントシステムのもう一方の端において、排出カテーテルは、シャントバルブの出口部分に取り付けられる第１の端部、及び血流に再吸収されるためにＣＳＦがシャントシステムから出るのを可能にするように構成されている第２の端部を有する。典型的には、シャントバルブは、埋め込み後に医師によって患者の皮膚を通じて触診可能である。シャントバルブは、種々の構成を有することができ、埋め込み後に液体排出の特性の調整が可能になるように設計することができる。
【０００５】
バルブの設定を外部から読み取る又は検証することが可能であることも重要である。いくつかの加減バルブでは、調整前後にＸ線影像を用いてバルブの現在の設定を確認する。他の加減バルブでは、患者の皮膚の外で、バルブの上方に位置決めされた磁気コンパス様のデバイスを使用して、バルブ内での回転子の配向を磁気的に読み取ることができる。実施例では、調整器と指示器の両方がロケータと併せて使用される。ロケータツールは、皮下におけるバルブの位置を判定し、それに続いてこの確立された位置を維持するプロセスで使用される。調整器及び指示器ツールは、ロケータツール内で係合して、それら自身の機能を実施する。
【０００６】
ロケータは、患者の皮膚を搏動させ、バルブの切欠きをロケータの基部内で位置合わせすることによって配置され得る。配置後、バルブの形状は流れの方向を示し、バルブ調整の向きはこの方向に基づく。別のタイプの弁は、流れ方向の磁気識別を可能にする付加的なマーカ磁石を有することができ、したがって、バルブの方向を探すために搏動を必要としない。
【０００７】
しかしながら、ロケータツールは、調整ツールの適切な配置と使用のためにやはり必要である。磁気抵抗センサを利用する指示器ツールは、地磁界を考慮するために、バルブから少なくとも１０〜１５ｃｍの距離でゼロ調整されなければならない。使用中にロケータの絶対的な向きが変更されるたびに、新しいゼロ調整が必要になる。これには時間がかかる。
【発明の概要】
【発明が解決しようとする課題】
【０００８】
したがって、指示器ツールの絶対的な向きを維持しながら、ロケータツールを回転させることでき、かつバルブの流れ方向と一致させることができるのが望ましい。
【課題を解決するための手段】
【０００９】
本発明の実施例は、埋込みバルブを位置特定するためのツールキットの一部としてのロケータを含む。ロケータは、中に入れ子にされた指示器と共に使用される。ロケータは、患者と接触する接触面、入れ子指示器を位置決めして回転を防ぐキー、及び接触面の反対側の下側リング接合部、を備えた下側リングを有する。また、下側リング接合部と回転可能に接続する上側リング接合部、流れ方向識別子、及び流れ設定識別子、を備えた、上側リングも備えている。更に、上側及び下側リングは互いに対して回転し、下側リングには底面がない。ロケータの別の実施例では、下側リングが、更に、接触面と下側リング接合部との間の高さで拡張し圧縮する伸縮自在部分を備え、伸縮自在部分は垂直方向にのみ動く。
【００１０】
本発明の別の実施例は、埋込みバルブを位置特定するためのツールキットを使用する方法である。ツールキットは、互いに回転可能に係合された上側及び下側リングを備えたロケータと、ロケータ内に入れ子になった指示器及び調整器とを有する。ステップは、概略的に埋込みバルブの上にロケータを配置するステップと、指示器をロケータ内に入れ子にするステップと、ロケータと指示器を埋込みバルブ上の中心に位置決めするステップと、埋込みバルブの流れ方向とバルブ設定を決定するステップと、下側リングの位置を維持しながら、ロケータの外側リングを回転させて、決定された流れ方向とバルブ設定を一致させるステップと、を含む。
【００１１】
方法は、入れ子にするステップの前に、埋込みバルブから遠くで指示器をゼロ調整するステップを更に有する。別の例は、入れ子にするステップの後で、ロケータを伸縮させるステップと、埋込みバルブから遠くで指示器をゼロ調整するステップと、ゼロ調整ステップの後でかつ中心位置決めするステップの前に、ロケータを圧縮するステップと、を含む。また、ロケータから指示器を取り外ステップと、ロケータ内の調整器を、決定されたバルブ設定に向けて配置するステップと、調整器を回転させることによってバルブ設定を新しいバルブ設定に調整するステップと、を含む。
【図面の簡単な説明】
【００１２】
本発明は、添付の特許請求の範囲で詳細に記載される。本発明の上述の態様及び更なる態様は、添付図面と共に以下の説明を参照することによってよりよく理解することができ、添付図面において、種々の図の同様の数字は同様の構造要素及び特徴を示す。図面は、必ずしも縮尺通りではなく、代わりに、本発明の原理を例示することに主眼が置かれている。
【００１３】
図面は、限定としてではなく単なる例示として、本教示に従う１つ又は２つ以上の実現例を描写している。図面中、同様の参照番号は同じ又は類似の要素を指す。
【図１】患者に埋め込まれた典型的な磁気方向性バルブの図である。
【図２】本発明による典型的な磁気方向性バルブの側面断面図である。
【図３】指示器ツール、ロケータツール、及び設定調整器ツールを含む、本発明によるツールセットの斜視図である。
【図４】ロケータの一実施例の上面図である。
【図５Ａ】本発明のロケータの一実施例の部分斜視断面図である。
【図５Ｂ】伸縮自在部分で収縮及び拡張されたロケータの側面図である。
【図５Ｃ】伸縮自在部分で収縮及び拡張されたロケータの側面図である。
【図６】本発明の指示器の一実施例の平面図である。
【図７】ロケータ内に入れ子にされた調整器の上面図である。
【図８】図７の線８−８に沿った部分断面図である。
【図９Ａ】本発明のツールキットを使用する方法の流れ図である。
【図９Ｂ】本発明のツールキットを使用する方法の流れ図である。
【図１０】患者のバルブ上のロケータの配置の実施例を示す図である。
【図１１Ａ】標識によるロケータの較正を示す図である。
【図１１Ｂ】標識によるロケータの較正を示す図である。
【図１２】ロケータ内に入れ子にされた調整器を示す図である。
【発明を実施するための形態】
【００１４】
以下の詳細な説明では、関連する教示の十分な理解を提供するために、例示として多数の特定の詳細が記載されている。しかしながら、本教示はかかる詳細を伴わずに実施されてもよいことが、当業者には明白であろう。他の例では、本教示の態様が不必要に曖昧になることを回避するために、周知の方法、手順、構成要素、及び／又は回路機構が比較的高位で詳細を含まずに記載されている。
【００１５】
本発明の方法及び一体型ツールは、埋め込み可能であって磁気的に設定可能なバルブ（バルブ）の位置特定、並びに現行設定から目標設定へのバルブの設定の変更（調整）を、バルブによる干渉を伴うことなく、医師が一貫して信頼性高く行うことを可能にする。一実施例では、バルブは、バルブの設定を介して、水頭症患者のＣＳＦ排出流量及び排出圧の少なくとも一方を制御するのに使用され、患者の頭皮又は患者の皮膚の別の部分の下に埋め込まれ、また、患者の皮膚の外部（上方）から調整可能であるが、ただし位置を特定する必要がある。
【００１６】
水頭症バルブの生体外読取り及び調整のための他のツール及び方法が、「Ｔｏｏｌｓ  ａｎｄ  Ｍｅｔｈｏｄｓ  ｆｏｒ  Ｐｒｏｇｒａｍｍｉｎｇ  ａｎ  Ｉｍｐｌａｎｔａｂｌｅ  Ｖａｌｖｅ」と題する米国特許第８，０３８，６４１号に開示され、その開示は、その全体が参照により本明細書に組み込まれる。本発明の範囲内において、本明細書で開示する様々な実施例の特徴は任意の組み合わせで使用されて、埋め込み可能なバルブの読取り及び調整のための追加の一体型ツール及び方法を構成することができる。
【００１７】
図１と図２は、患者の皮膚１０２の下に埋め込まれた汎用型の埋め込み可能なバルブ１００を示す。バルブ１００は、バルブ１００の調整又はその設定の判定に使用される基準点である、磁軸１０４を含む。一実施例では、バルブ１００は、複数の所定の流量及び圧力に対応する、複数の所定の設定を有する。一実施例では、複数の設定は８つの設定を含む。
【００１８】
バルブ１００は、磁気的に回転可能な回転子１１０を有する任意の磁気方向性、設定可能、及び埋め込み可能なバルブでよいことを理解されたい。一実施形態では、バルブ１００は、軸１０４に沿った回転子１１０の変位によってロック解除されて磁軸１０４を中心に回転し、この変位は、軸１０４に沿った引力磁場の印加によって提供される。更に他の実施形態では、引力磁場と、回転子を軸を中心に回転させる磁場は、永久磁石でも電磁石でもよい単一磁気源によって提供される。
【００１９】
更に、バルブ１００は、バルブ１００の流れ方向Ｆを示すために、端部の近くのバルブ１００の壁１０８に埋め込まれた固定磁気マーカ１０６を備え得る。固定磁気マーカ１０６は、永久磁石片でよく、一実施例では、壁１０８に対して直角方向に磁化され得る。固定磁気マーカ１０６は、一実施例では、回転子１１０、したがってその設定、及び読取り値に対するマーカ１０６の磁気的影響を最小にするために、磁軸１０４からできるだけ遠い位置に提供され得。
【００２０】
図１は、患者の頭蓋Ｓの皮膚１０２の下に埋め込まれたバルブ１００を示す。埋め込まれた後、バルブは、皮膚の下にあり、典型的には毛髪によって覆われる。次に、図３は、バルブ１００を位置特定し、設定を識別し、かつ調整するための、本発明による磁気抵抗センサツールセット５００を示す。ツールセットは、ロケータ２００、指示器３００、及び調整器４００を含み、それぞれについては順番に後述される。指示器ツール３００と調整器ツール４００はそれぞれ、後で詳しく図示され述べられるように、ロケータツール２００の上で入れ子になり得る。図示されたように、ツールセット５００は、一実施例として、調整器４００を保持するための小さい方の凹部５０４と、ロケータ２００と入れ子にされた指示器３００を保持するための大きい方の凹部５０６とを有する保管及び搬送ケース５０２を含み得る。好ましくは、指示器３００の一部分は、ツールセット５００の保管又は搬送のためにケース５０２が閉じられたときに、上側凹部５０８内に収容される。
【００２１】
図４は、ロケータ２００の一実施例を示す。ロケータ２００は、典型的には、中心２０２を有する円形でよく、直径Ｄを有することができる。この実施例では、ロケータ２００は、リングでよく、その内径内に底面／障壁／薄膜がない。ロケータ２００は、一実施例では円形であり得るが、調整器及び／又は指示器がそれらの機能を実施することが可能になるような、任意の形状を有することができる。したがって、一実施例では、ロケータ２００は、円形ではなく多数の線分から構成することができる。
【００２２】
また、ロケータ２００は、流れ方向標識２０４と流れ設定標識２０６を有することができる。これらの標識は両方とも、直径Ｄによって規定された第１の外周２０８（第１の外周２０８はπ×直径Ｄであり得る）の外側に延在する花弁状部若しくはタブを有するか又は有さない可視マークでよい。流れ方向識別子２０４は矢印でよく、この矢印は、埋め込まれたバルブ１００を通る流体流方向Ｆと位置合わせされる。流れ設定標識２０６は、バルブ１００の設定、すなわちいくつかの実施例では回転子１１０の位置を示す可視マークでよい。
【００２３】
図５Ａ〜図５Ｃは、ロケータ２００の実施例の異なる図を示す。図５Ａは、ロケータ２００の部分斜視断面を示し、図５Ｂと図５Ｃは、ロケータ２００の圧縮及び拡張バージョンを示す。ロケータ２００は、２つの接続リング２１０、２２０で作製され得る。外側／上側リング２１０及び下側／内側リング２２０は、互いに回転でき、かつ互いに垂直方向に変位できる。外側リング２１０は、流れ方向識別子２０４と流れ設定標識２０６の両方を有することができる。更に、外側リング２１０は、回転止め部２１２、すなわち調整器４００の割り出しを支援する溝又は突起を有することができる。回転止め部２１２は、医者の慎重な意図なく調整器４００が任意の設定から他の任意の設定にすぐに回転するのを防ぐことができる。これは、バルブ回転子１１０の回転制限も模倣できる。
【００２４】
上側リング２１０と下側リング２２０は、回転接合部２１４で接続する。詳細には、上側リング２１０は、上側リング接合部２１４Ａを有し、下側リングは、下側リング接合部２１４Ｂを有する。接合部２１４は、上側及び下側リング２１０，２２０が互いに対して回転するのを可能にする。詳細には、下側リング２２０を固定させたまま、上側リング２１０を下側２２０に対して回転させることができる。この回転は、時計回りと反時計回りの両方でよく、また無制限でよく、他の実施例は、一方向又は３６０°未満の回転を有することができる。
【００２５】
下側リング２２０は、上側リング２１０の反対の皮膚接触面２１６を有し、ロケータ２００は患者（patent）と接触する。下側リング２２０は、また、後でより詳しく述べられる標識キー又はロック２１８を有する。更に、接合部２１４と皮膚面２１６の間に伸縮自在部分２２２があってもよい。伸縮自在部分２２２は、下側リング２２０の高さＨを皮膚１０２から遠ざかる方向に増大させることができる。伸縮自在部分２２２は、互いに拡張し圧縮できる一連の入れ子式部分でよい。一実施例では、伸縮自在部分２２２は、垂直方向にのみ変位する。拡張又は圧縮するように回転しない。その理由は、入れ子にしたままで指示器３００をゼロ調整するのに十分遠くに変位できるからである。したがって、一実施例では、高さＨは、０ｃｍから約１５ｃｍまで（約０インチから約６インチまで）拡張できる。その距離でゼロ調整された後、伸縮自在部分２２２は、指示器３００がバルブ１００を読み取ることができるように圧縮され得る。
【００２６】
次に指示器３００に移ると、指示器３００を使用して、流れ方向Ｆと回転子１１０の位置を決定できる。指示器３００の一実施例が図６に示され、流れ位置識別子３０２、回転子位置識別子３０４、及び２つの識別子３０２，３０４の反対側の１つ又は２つ以上のキーポイント３０６を含み得る。指示器３００は、ロケータ２００の内部に入れ子になるか嵌まるようにサイズ決めされてよく、この２つは、バルブ１００に関する関連情報を決定するために合わせて使用される。
【００２７】
指示器３００は、ゼロ調整され（後述されるプロセスで）、ロケータ２００に挿入される。ロケータ２００上のキー２１８とキーポイント３０６は、指示器３００が挿入後にロケータ２００に対して回転できないように位置合わせされる。流れ位置識別子３０２は、少なくとも固定磁気マーカ１０６から磁場を読み取り、バルブ１００の向きでもある流れＦの方向を示す。同様に、回転子位置識別子３０４は、回転子１１０の位置を読み取り、２つの読取り値の間でバルブ１００の設定を決定できる。
【００２８】
バルブ１００の実施例では、回転子１１０の設定は、流れ方向Ｆに向けられた後でのみ理解され得る。流れ方向Ｆに対する回転子１１０の様々な位置はそれぞれ、異なる流れ設定である。回転子１１０の絶対位置を知るだけでは、バルブ設定を決定するのに十分な情報が提供されない。
【００２９】
図７と図８に移ると、調整器４００は、ロケータ２００内に入れ子にされて示されており、ロケータ２００上の付加的特徴が、調整器ツール４００と共に利用され得る。上側リング２１０の内部２２４は、一連の回転止め部２１２を規定し、各回転止め部２１２は、調整器４００上の戻り止め４０２を収容できる。戻り止め４０２が回転止め部２１２の１つと係合する際に、クリック音及び／又は触覚などの触覚及び可聴指標の少なくとも１つを有することが望ましい。記載されるように、裾広がりの表面に、最低圧力設定や最高圧力設定などの圧力バルブ表示部２０６があってもよい。
【００３０】
ツールキット５００（詳細にはロケータ２００）の方法及び使用の例は、図９〜図１２に示され後述され得る。図９Ａは、方法の実施例のステップを示す。最初に、ロケータ２００をバルブ１００の上に配置できる（図１０）（ステップ６００）。一般に、一実施例では皮膚１０２が搏動されず、他の実施例では皮膚１０２が少し搏動されて、ロケータ２００の中心２０２が、バルブ１００の中心／磁軸１０４の５ｍｍ以内に位置決めされ得る。配置する際、バルブ１００の位置又は流れ方向Ｆに対するロケータ２００の向きは考慮されない。別の言い方をすると、ロケータ２００は、バルブ１００の上で任意の向きに配置され得る。次に、指示器３００が、ロケータ２００に入れ子にされる前にゼロ調整される（ステップ６０２）。これは、当該技術分野で知られており、地球の磁場を考慮するために指示器３００をバルブ１００の約１０〜１５ｃｍ上に保持することを含み得る。次に、指示器３００がロケータ２００内に入れ子にされ（ステップ６０４）、ユーザは、少なくとも流れ方向とバルブ設定についての測定を開始できる。指示器３００が入れ子にされたとき、指示器３００上のキーポイント３０６が、ロケータ２００上のキー２１８と合致する必要がある。これでロケータ２００内の指示器３００の向きが決まる。他の実施例では、指示器３００は、最初に入れ子にされ、次にロケータ２００の下側リング２２０を伸縮させることによってゼロ調整され得る。
【００３１】
入れ子にされた後で、ロケータ２００と指示器３００は、ロケータの中心２０２がバルブ１００の磁軸１０４上の中心に位置決めされて適切な読取りとバルブ調整が確実になるまで、流れ位置識別子３０２及び／又は回転子位置識別子３０４の読取り値に基づいて、皮膚１０２上でゆっくりと動かされ得る（ステップ６０６）。対２００，３００が中心に位置決めされた後で、流れ位置識別子３０２は、磁気マーカ１０６を読み取って流れ方向Ｆを決定でき、回転子位置識別子３０４は、回転子１１０の位置を読み取ってバルブの設定を決定できる（ステップ６０８）。図１１Ａは、対２００、３００が中心に位置決めされているが、外側リング２１０が指示器３００上の読取り値３０２、３０４と位置が合わされていない状態を示す。これは、ロケータ２００の配置の一般的性質によるものであり得る。外側リング２１０は、流れ方向標識２０４を流れ位置識別子３０２と位置合わせし、流れ設定標識２０６を回転子位置識別子３０４と位置合わせするように回転され得る（ステップ６１０）。これは図１１Ｂに示され、この実施例は、外側リング２１０を時計回りに回転させて標識２０４，２０６を識別子３０２，３０４と位置合わせできることを示す。外側リング２１０が回転されている間、内側リング２２０は、指示器３００と共に固定されたままであり、回転しない。これは時間節約になり、先行技術と同様に、ロケータ／指示器対２００，３００の向きがずれ、指示器３００の絶対向きが変化した場合は、指示器３００を再びゼロ調整する必要がある。
【００３２】
ここでバルブ１００の設定を完了するために、指示器３００をロケータ２００から取り外すことができ（ステップ６１２）、この場合もロケータ２００を中心２０２及び磁軸１０６に対して動かさないように注意する。次に、調整器４００は、調整矢印４０４が、回転子位置識別子３０４によって識別されたような実際の現在バルブ設定に対応するロケータ２００上の流れ設定標識２０６を指すように、ロケータ２００内に配置される（ステップ６１４）（図１２）。最後に、調整器４００を回転させて、バルブ設定を変更するために調整矢印４０４がロケータ２００上の新しい流れ設定標識２０６を指すようにする（ステップ６１６）。
【００３３】
所望の設定に達した後で、調整器４００は、更に回転させることなくロケータ２００から真上に持ち上げられる。好ましくは、指示器３００は、次にロケータ２００内に再配置され、適正なバルブ圧力設定を確認するために別の読取り値が取得される。指示器ツールの再使用の代替又は追加として、埋め込まれたバルブ１００をｘ線で画像化して現在のバルブ設定を確認できる。
【００３４】
図９Ｂは、図９〜図１２に示され後述され得るツールキット５００（詳細にはロケータ２００）の方法及び使用の別の実施例を示す。図９は、方法の一実施例のステップを示す。最初に、ロケータ２００をバルブ１００の上に配置できる（図１０）（ステップ６００）。次に、指示器３００が、ロケータ２００内に入れ子にされ（ステップ６０４）、ロケータ３００が、バルブ１００から約１０ｃｍ〜１５ｃｍの距離に伸縮される（ステップ６０３）。次に、指示器３００はゼロ調整され（ステップ６０２）、次にロケータ３００が、バルブ１００から測定値を取得できるように圧縮される（ステップ６０５）。残りのステップは上記の通りであり、ロケータ２００と指示器３００が中心に位置決めされて適切な読取りとバルブ調整を確実にすることができる（ステップ６０６）。中心に位置決めされた後で、バルブの設定が決定される（ステップ６０８）。外側リング２１０は、流れ方向標識２０４を流れ位置識別子３０２と位置合わせし、流れ設定標識２０６を回転子位置識別子３０４と位置合わせするように回転され得る（ステップ６１０）。ここでバルブ１００の設定を完了するために、指示器３００をロケータ２００から取り外すことができ（ステップ６１２）、この場合もロケータ２００を中心２０２及び磁軸１０６に対して動かさないように注意する。次に、調整矢印４０４が、回転子位置識別子３０４によって識別されるような実際の現在のバルブ設定に対応するロケータ２００上の流れ設定標識２０６を指すように、調整器４００がロケータ２００内に配置される（ステップ６１４）。最後に、調整器４００を回転させて、バルブ設定を変更するために調整矢印４０４がロケータ２００上の新しい流れ設定標識２０６を指すようにする（ステップ６１６）。
【００３５】
最良の形態及び／又は他の実施例と見なされるものについて上記に記載してきたが、各種変更が可能であり、本明細書に開示する主題が様々な形態及び実施例で実践されてもよく、本教示は多数の用途に適用されてもよく、その一部のみが本明細書に記載されていることを理解されたい。以下の「特許請求の範囲」によって、本教示の真の範囲内にある、ありとあらゆる応用、修正、及び変形について請求するものとする。
【００３６】
〔実施の態様〕
（１）  中に入れ子にされた指示器と併せて使用される、埋込みバルブを位置特定するためのツールキットの一部としてのロケータであって、
下側リングであって、
患者と接触する接触面、
前記入れ子指示器を位置決めして回転を防ぐキー、及び
前記接触面の反対側の下側リング接合部、を備えた、下側リングと、
上側リングであって、
前記下側リング接合部と回転可能に接続する上側リング接合部、
流れ方向識別子、及び
流れ設定識別子、を備えた、上側リングと、を備え、
前記上側及び下側リングが互いに対して回転し、
前記下側リングには底面がない、ロケータ。
（２）  前記下側リングが、更に、前記接触面と前記下側リング接合部との間の高さを拡張し圧縮する伸縮自在部分を備え、前記伸縮自在部分が、垂直方向にのみ動く、実施態様１に記載のロケータ。
（３）  埋込みバルブを位置特定するためのツールキットを使用する方法であって、前記ツールキットが、互いに回転可能に係合された上側リングと下側リングを備えたロケータと、前記ロケータ内に入れ子になった指示器及び調整器とを備え、
概略的に前記埋込みバルブの上に前記ロケータを配置するステップと、
前記指示器を前記ロケータ内に入れ子にするステップと、
前記ロケータと前記指示器を前記埋込みバルブ上の中心に位置決めするステップと、
前記埋込みバルブの流れ方向とバルブ設定を決定するステップと、
前記下側リングの位置を維持しながら、前記ロケータの外側リングを回転させて、前記決定された流れ方向と前記バルブ設定を一致させるステップと、を含む、方法。
（４）  前記入れ子にするステップの前に、前記埋込みバルブから遠くで前記指示器をゼロ調整するステップを更に含む、実施態様３に記載の方法。
（５）  前記入れ子にするステップの後で、前記ロケータを伸縮させるステップと、
前記埋込みバルブから遠くで前記指示器をゼロ調整するステップと、
前記ゼロ調整するステップの後でかつ前記中心に位置決めするステップの前に、前記ロケータを圧縮するステップと、を更に含む、実施態様３に記載の方法。
【００３７】
（６）  前記ロケータから前記指示器を取り外すステップと、
前記ロケータ内の前記調整器を、前記決定されたバルブ設定に向けて配置するステップと、
前記調整器を回転させることによって前記バルブ設定を新しいバルブ設定に調整するステップと、を更に含む、実施態様３に記載の方法。
【図１】
2018000962.tif 000003
【図２】
2018000962.tif 000004
【図３】
2018000962.tif 000005
【図４】
2018000962.tif 000006
【図５Ａ】
2018000962.tif 000007
【図５Ｂ】
2018000962.tif 000008
【図５Ｃ】
2018000962.tif 000009
【図６】
2018000962.tif 000010
【図７】
2018000962.tif 000011
【図８】
2018000962.tif 000012
【図９Ａ】
2018000962.tif 000013
【図９Ｂ】
2018000962.tif 000014
【図１０】
2018000962.tif 000015
【図１１Ａ】
2018000962.tif 000016
【図１１Ｂ】
2018000962.tif 000017
【図１２】
2018000962.tif 000018
【外国語明細書】
2018000962000001.pdf